(57)【要約】【課題】既存のポンプが設置されている井戸やタンク等に容易に手押しポンプを取り付けるための手押しポンプの接続構造を提供すること。【解決手段】地面に立設する架台１０と、この架台１０に取り付けられる手押しポンプ２０と、一端が手押しポンプ２０の吸込口２１ａに接続されるとともに、他端が他のポンプの吸込口５３に接続される接続管３０と、接続管３０の途中に設けられた仕切弁４０とを備えている。【選択図】図２
2012002108.tif 000002
【特許請求の範囲】
【請求項１】
地面に立設する架台と、
この架台に取り付けられる手押しポンプと、
一端が前記手押しポンプの吸込管に接続されるとともに、他端が他のポンプの吐出管に接続される接続管と、
この接続管の途中に設けられた仕切弁とを備えていることを特徴とする手押しポンプの接続構造。
【請求項２】
前記架台は、円柱状に形成された架台本体を備えていることを特徴とする請求項１に記載の手押しポンプの接続構造。
【請求項３】
前記架台は、前記手押しポンプのフランジに設けられたボルト孔と締結するための取付板が設けられていることを特徴とする手押しポンプの接続構造。
【請求項４】
地面に立設する架台と、
この架台に取り付けられる手押しポンプと、
一端が前記手押しポンプの吸込管に接続されるとともに、他端が水槽に接続される接続管とを備えていることを特徴とする手押しポンプの接続構造。
【発明の詳細な説明】
【技術分野】
【０００１】
本発明は、既存の電動ポンプ等に接続する手押しポンプ装置の接続構造に関する。
【背景技術】
【０００２】
家庭用井戸やタンクからの水の汲み上げには、小型の電動ポンプ又は手押しポンプが用いられている。
【０００３】
手押しポンプは、例えば、一方の端部を吸込側、他方の端部を吐出側としたシリンダの内側に、水を吸い上げるためのピストンを設け、このピストンにピストンロッドを介して往復動させるリンク機構を組み付けた構造が用いられている（例えば、特許文献１参照）。このような手押しポンプは、近年の防災意識の高まりにより停電時（災害）対応として見直されている。
【０００４】
このため、電動ポンプと手押しポンプを予め井戸等に設置しておくことが考えられる。
【先行技術文献】
【特許文献】
【０００５】
【特許文献１】特開２００７−６４１０５号公報
【発明の概要】
【発明が解決しようとする課題】
【０００６】
上述した手押しポンプでは、次のような問題があった。すなわち、通常時は家庭用井戸等に電動ポンプが取り付けられているため、さらに手押しポンプを設けるためには別途井戸が必要になり、スペースを余分に確保しておく必要があった。一方、非常時に電動ポンプを取り外し、手押しポンプを取り付ける場合、手押しポンプを井戸等の個々の形状に合わせて取り付けなければならず、迅速な対応が困難であった。また、一旦手押しポンプを設置してしまうと、電動ポンプに戻すのは手間がかかっていた。
【０００７】
そこで本発明は、既存のポンプが設置されている井戸やタンク等に容易に手押しポンプを取り付けるための手押しポンプの接続構造を提供することを目的としている。
【課題を解決するための手段】
【０００８】
前記課題を解決し目的を達成するために、本発明の手押しポンプの接続構造は次のように構成されている。
【０００９】
（１）地面に立設する架台と、この架台に取り付けられる手押しポンプと、一端が前記手押しポンプの吸込口に接続されるとともに、他端が他のポンプの吐出口に接続される接続管と、この接続管の途中に設けられた仕切弁とを備えていることを特徴とする。
【００１０】
（２）（１）に記載された手押しポンプの接続構造において、前記架台は、円柱状に形成された架台本体を備えていることを特徴とする。
【００１１】
（３）（１）に記載された手押しポンプの接続構造において、前記架台は、前記手押しポンプのフランジに設けられたボルト孔と締結するための取付板が設けられていることを特徴とする。
【００１２】
（４）地面に立設する架台と、この架台に取り付けられる手押しポンプと、一端が前記手押しポンプの吸込管に接続されるとともに、他端が水槽に接続される接続管とを備えていることを特徴とする。
【発明の効果】
【００１３】
本発明によれば、既存のポンプが設置されている井戸やタンク等に容易に手押しポンプを取り付けることが可能となる。
【図面の簡単な説明】
【００１４】
【図１】本発明の一実施の形態に係る手押しポンプの接続構造により接続された手押しポンプと電動ポンプを模式的に示す説明図。
【図２】同手押しポンプの接続構造により接続された手押しポンプと電動ポンプを一部切欠して示す側面図。
【図３】同手押しポンプの接続構造による架台の要部を示す正面図。
【発明を実施するための形態】
【００１５】
図１は、本発明の一実施の形態に係る手押しポンプの接続構造により接続された手押しポンプ２０と電動ポンプ５０を模式的に示す説明図、図２は手押しポンプの接続構造により接続された手押しポンプ２０と電動ポンプ５０を一部切欠して示す側面図、図３は手押しポンプの接続構造による架台１０の要部を示す正面図である。なお、図１中Ｈは家屋を示している。
【００１６】
図１に示すように、手押しポンプの接続構造は、地面に立設する架台１０と、この架台１０に取り付けられる手押しポンプ２０と、一端が手押しポンプ２０の吸込管に接続されるとともに、他端が後述する電動ポンプ（他のポンプ）５０の吐出管又は吸込管に接続される接続管３０と、この接続管３０の途中に設けられた仕切弁４０とを備えている。なお、図１中５０は、井戸や水槽に直結された電動ポンプを示しており、常設されている。
【００１７】
架台１０は、板材１１ａにより円筒状に形成された架台本体１１と、この架台本体１１の天井部に取り付けられ、中央に孔部が設けられた取付板１２と、底部に取り付けられた支持板１３とを供えている。なお、図３に示すように、架台本体１１の板材１１ａの下部には切欠部１１ｂが形成されている。切欠部１１ｂは、上部が半円状に形成されている。
【００１８】
手押しポンプ２０は、内部にピストン機構、吐出室、吸込室等が設けられた本体２１と、ピストン機構を作動させるリンク機構部２２と、このリンク機構２２を作動させる操作レバー２３とを備えている。本体２１の下部には吸込口２１ａ、側面には吐出口２１ｂが設けられている。また、本体２１の下部側面にはフランジ２４が設けられ、フランジ２４にはボルト穴２４ａが設けられている。
【００１９】
接続管３０は、一端が本体２１の吸込口２１ａに取り付けられた第１管部３１と、この第１管部３１の他端に仕切弁４０を介して取り付けられた第２管部３２とを備えている。
【００２０】
電動ポンプ５０は、本体ケーシング５１と、この本体ケーシング５１内に設けられたポンプ機構５２と、このポンプ機構５２に取り付けられた吸込口５３と、この吸込口５３に連通する連通孔５４と、ポンプ機構５２に取り付けられた吐出口５５（図１参照）とを備えている。吸込口５３は井戸等に直結されている。また、吐出口５５は屋内の水道に接続されている。
【００２１】
このように構成された手押しポンプの接続構造を用い、次のようにして手押しポンプ２０を設置する。すなわち、架台本体１１を地面の所望の位置に立設する。次に、手押しポンプ２０を架台本体１１の取付板１２に取り付ける。このとき、手押しポンプ２０のボルト穴２４ａをそのまま利用する。
【００２２】
次に、手押しポンプ２０の吸込口２１ａに第１管部３１の一端を取り付け、架台１１外に引き出す。この時、切欠部１１ｂが丸みを帯びているので、安全を確保できる。続いて、第１管部３１の他端に仕切弁４０を取り付け、次に、第２管部３２の一端を取り付ける。そして、第２管部３２の他端を電動ポンプ５０の連通孔５４に取り付ける。
【００２３】
このようにして接続された手押しポンプ２０は、次のようにして用いる。すなわち、停電等の非常時には仕切弁４０を開く。これにより、手押しポンプ２０の吸込口２１ａが接続管３０を介して電動ポンプ５０の連通孔５４と連通する。連通孔５４は吸込口５３を介して井戸等と接続されているので、操作レバー２３を操作することでピストン機構が作動し、本体２１内に水を吸い込むことができる。そして、吐出口２１ｂから水を吐出させる。
【００２４】
一方、通常時は、仕切弁４０を閉じ、電動ポンプ５０を作動させることで、井戸等からの水は吸込口５３から吸入され、吐出口５５から吐出することになる。
【００２５】
上述したように、本実施の形態に係る手押しポンプの接続機構によれば、既に電動ポンプ５０等の他のポンプが井戸等に取り付けられている場合であっても、手押しポンプ２０のために別途井戸等を必要とすることがなく、スペースを余分に確保する必要がない。また、非常時には電動ポンプ５０を取り外すことなく、簡単な施工で手押しポンプ２０を取り付けることができるため、迅速な対応が可能であった。また、手押しポンプ２０を接続した場合であっても、通常時には仕切弁４０を閉じるだけで電動ポンプ５０を作動させるようにできるので、取り扱いが容易である。
【００２６】
一方、ユーザが設置することが予想される架台本体１１は円柱状に、切欠部１１ａも丸みを帯びて形成されているため、安全に施工することが可能である。
【００２７】
なお、本発明は前記実施の形態に限定されるものではない。例えば、接続管３０を電動ポンプ５０の連通孔５４及び吸込口５３を介して井戸に取り付けるようにしたが、接続管３０を直接井戸や水槽に挿入するようにしてもよい。この他、本発明の要旨を逸脱しない範囲で種々変形実施可能であるのは勿論である。
【産業上の利用可能性】
【００２８】
既存のポンプが設置されている井戸やタンク等に容易に手押しポンプを取り付けるための手押しポンプの接続構造を提供することができる。
【符号の説明】
【００２９】
１０…架台，１１…架台本体，１１ｂ…切欠部，１２…取付板，１３…支持板，２１…本体，２０…手押しポンプ，２１ａ…吸込口，２１ｂ…吐出口，２２…リンク機構部，２３…操作レバー，２４…フランジ，２４ａ…ボルト穴，３０…接続管，３１…第１管部，３２…第２管部，４０…仕切弁，５０…電動ポンプ，５３…吸込口，５４…連通孔，５５…吐出口。
【図１】
2012002108.tif 000003
【図２】
2012002108.tif 000004
【図３】
2012002108.tif 000005